(57)【特許請求の範囲】
【請求項１】
装着部に被充電機器を装着したときに充電をおこなう充電装置であって、装着部に、装着部への被充電機器の装着及び抜き出しに伴って充電用の電源をオン・オフするスイッチを設け、スイッチ用の端子を備えたスイッチ基板を縦方向に設け、スイッチ基板の下方に空所を形成し、スイッチ基板に対向してスイッチプレートを上下方向にスライド自在に設け、スイッチプレートの下方にバネ受け部を設け、バネ受け部とスイッチプレート間に装着したコイルバネにてスイッチプレートが上方に付勢され、装着部に被充電機器を装着するのに伴ってスイッチプレートをコイルバネに抗して押下げて被充電機器を充電装置本体に結合させるための結合手段を設けて成ることを特徴とする充電装置。
【請求項２】
装着部に凹溝を形成し、この凹溝内にスイッチの操作子を設けて成ることを特徴とする請求項１記載の充電装置。
【請求項３】
装着部を凹形状にし、装着部に防塵用の蓋を設けて成ることを特徴とする請求項１記載の充電装置。
【発明の詳細な説明】
【０００１】
【発明の属する技術分野】
本発明は、装着部に被充電機器を装着するのに伴って充電をおこなう充電装置に関し、詳しくは、簡単な構造で感電を防止し、安全性を高め、使い勝手がよく、充電電源を投入するスイッチの信頼性も高めようとする技術に係るものである。
【０００２】
【従来の技術】
従来、非絶縁型トランスを用いた充電装置を使用する際、充電装置に入力電圧が印加された状態で充電端子に手や指が触れると感電するという問題がある。そこで、感電を防止する充電装置として種々のものが提案されている。即ち、例えば、図８に示すように、バッテリーのような被充電機器を収納する収納部を被うカバーＣを回転自在に設け、カバーＣの先端に充電電源を投入するスイッチ動作のためのピン状の突起部Ｐを設け、カバーＣの閉のとき、突起部Ｐが充電器本体の案内孔Ｈに入り、内部のスイッチＳを動作させて充電端子に通電する構造のものがあるが、カバーＣやカバーＣの突起部Ｐが破損すると充電できなくなるという問題と、案内孔Ｈへの異物が入ることによるスイッチＳの信頼性が低下するなどの問題があった。即ち、案内孔Ｈに異物や指を入れにくくするためには案内孔Ｈは必然的に小さくせざるをえなくなるのであり、そのため、カバーＣの突起部Ｐも細くなり、破損しやすくなるものである。
【０００３】
【発明が解決しようとする課題】
本発明はこのような問題を解消しようとするものであり、その目的とするところは、簡単な構造で安全性が高く、使い勝手がよく、スイッチの信頼性を高めることができる充電装置を提供することにある。
【０００４】
【課題を解決するための手段】
請求項１の発明においては、装着部６に被充電機器を装着したときに充電をおこなう充電装置であって、装着部６に、装着部６への被充電機器の装着及び抜き出しに伴って充電用の電源をオン・オフするスイッチＳを設け、スイッチＳ用の端子１９を備えたスイッチ基板２０を縦方向に設け、スイッチ基板２０の下方に空所２７を形成し、スイッチ基板２０に対向してスイッチプレート１４を上下方向にスライド自在に設け、スイッチプレート１４の下方にバネ受け部１７を設け、バネ受け部１７とスイッチプレート１４間に装着したコイルバネ１６にてスイッチプレート１４が上方に付勢され、装着部６に被充電機器を装着するのに伴ってスイッチプレート１４をコイルバネ１６に抗して押下げて被充電機器を充電装置本体２５に結合させるための結合手段２６を設けて成ることを特徴とするものである。
【０００５】
請求項２の発明においては、装着部６に凹溝７を形成し、この凹溝７内にスイッチＳの操作子１１を設けて成ることを特徴とするものである。
【０００６】
請求項３の発明においては、装着部６を凹形状にし、装着部６に防塵用の蓋１０を設けて成ることを特徴とするものである。
【０００７】
請求項１の構成においては、被充電機器を装着部６に装着していない未使用状態では充電端子９には電圧がかかっておらず、不測の感電を防止し、安全性を高め、また、被充電機器の装着に伴ってスイッチＳをオンすることができ、使い勝手がよくなる。
更に、請求項１の構成においては、結合手段２６により、被充電機器を充電装置本体２５に確実に結合させることができ、被充電機器と充電装置の端子の接触を確実におこなえ、かつ、スイッチＳを確実にオン・オフすることができ、装置の信頼性を高めることができる。
更に、請求項１の構成においては、ほこりなどの堆積の影響を回避することができ、スイッチＳの接触の信頼性を増すことができる。
請求項２の構成においては、指で操作子１１を操作することはできず、一層、感電を回避でき、安全になる。
【０００９】
請求項３の構成においては、充電端子９やスイッチＳ用の端子１９へのほこりの侵入を防ぐことができ、信頼性を高めることができる。
【００１０】
【発明の実施の形態】
図１は充電器１に被充電機器の電池パック２を装着する分解斜視図を示し、充電器１の充電装置本体２５の上面に凹状の装着部６が形成され、装着部６に電池パック２を装着することにより、電池を充電することができるようになっている。被充電機器は本体（図示せず）とこれの電源となる上記電池パック２とから構成され、電池パック２のフック３は被充電機器の本体にも係脱自在に構成されている。
【００１１】
凹状の装着部６の内周壁面には凹溝７が設けられ、この凹溝７内に充電用の電源をオン・オフさせるスイッチＳの操作子１１が臨んでいる。凹溝７の巾寸法ａは約２ｍｍ程度であり、できるだけ小さく形成されて、人の指などが入らないようになっている。
電池パック２の側面には突起４が設けられ、電池パック２を装着部６に装着すると、この突起４により操作子１１が押し下げられ、スイッチＳが入り、充電が開始するようになっている。
【００１２】
スイッチＳの構造は、図２及び図３に示すように、装着部６の側面にスイッチプレート１４が上下にスライド自在に設けられ、バネ受け部１７に装着されたコイルバネ１６によって、スイッチプレート１４が上方に付勢されている。スイッチプレート１４には装着部６側に操作子１１が一体に設けられ、操作子１１とは反対側に可動端子としてスイッチ端子１８が設けられている。スイッチプレート１４の移動（上下）方向と略平行にスイッチ基板２０が配され、スイッチ基板２０に固定端子としての端子１９が固定されている。
【００１３】
しかして、スイッチプレート１４が電池パック２の装着によってコイルバネ１６に抗して押下げられることにより、スイッチ端子１８が端子１９，１９を短絡して電気的に接続がなされ、スイッチＳがオンし、また、電池パック２を抜くことで、スイッチプレート１４がコイルバネ１６により押し上げられ、端子１９，１９間からスイッチ端子１８が外れて、スイッチＳがオフするものである。
【００１４】
図２，図３ではスイッチ端子１８が１個、端子１９が２個しか表わされていないが、これらは略平行に２回路並べられており、スイッチ端子１８が２個、端子１９が４個となる両切りの２回路の構成となっている（図５参照）。
上述のように、スイッチプレート１４の下方にはバネ受け部１７が構成され、バネ受け部１７にコイルバネ１６が装着され、コイルバネ１６によりスイッチプレート１４は常に上方へ付勢されている。このことにより、電池パック２を装着部６から外すと、スイッチプレート１４が上方へ移動し、スイッチＳがオフとなり、電源回路２８に電圧が供給されず、安全となるわけである。図５において、２９は制御回路、３０は保護回路である。５は電池パック２の電極、９は充電端子、１２は充電状態を示すためのランプ、１３はプラグである。ところで、図６に示すように、スイッチ基板２０は主プリント配線板２２とはジャンパー線２１で電気的に接続されている。
【００１５】
また、図１に示すように、電池パック２の両側にはフック３が形成され、充電器１の装着部６の両側にはフック係合部８が構成され、電池パック２を装着部６に装着した場合に、フック３がフック係合部８に係合することにより、コイルバネ１６の反力にて、電池パック２が飛び出すのを防止している。
更に、プリント基板２０の端子１９の下方にかなりの広がりの空所２７を形成してあり、ほこりなどが堆積した場合に端子１９における接点への悪影響を及ぼさないようにしている。そして、フック３，３を弾性変位させてフック係合部８から外すことで、電池パック２を装着部６から抜き出すことができるのである。
【００１６】
図４に示すように、凹状に形成された装着部６の開口端には蓋１０が軸２３廻りに回動自在に取付けられ、ねじりバネ２４により閉じ付勢されて、蓋１０が略水平に保たれ、凹状の装着部６内へのほこり、ごみなどの侵入を防いでいる。しかして、電池パック２が装着されると、蓋１０は電池パック２により押され、軸２３を中心に垂直位置まで回転し〔図４（ｂ）参照〕、電池パック２の装着に際しては影響を受けることが殆どない。
【００１７】
図７は参考例を示していて、充電器１の装着部６を凸形状に形成し、電池パック２に凹み２ａを設けて、装着部６の凸部６ａに電池パック２の凹み２ａを装着するようにしている。また、スイッチＳの構造は上下方向のスライド方式を採用したが、図７に示すように、上下圧接方式としている。
【００１８】
【発明の効果】
請求項１の発明においては、装着部に被充電機器を装着したときに充電をおこなう充電装置であって、装着部に、装着部への被充電機器の装着及び抜き出しに伴って充電用の電源をオン・オフするスイッチを設けてあるから、被充電機器を装着部に装着していない未使用状態では充電端子には電圧がかかっておらず、不測の感電を防止し、安全性を高め、また、被充電機器の装着に伴ってスイッチＳをオンすることができ、使い勝手がよくなるという利点がある。
更に、請求項１の発明においては、装着部に装着される被充電機器を充電装置本体に結合させるための結合手段を設けてあるから、結合手段により、被充電機器を充電装置本体に確実に結合させることができ、被充電機器と充電装置の端子の接触を確実におこなえ、かつ、スイッチを確実にオン・オフすることができ、装置の信頼性を高めることができるという利点がある。
更に、請求項１の発明においては、スイッチ用の端子を備えたスイッチ基板を縦方向に設けるとともにスイッチ基板の下方に空所が形成されているから、ほこりなどの堆積の影響を回避することができ、スイッチの接触の信頼性を増すことができるという利点がある。
【００１９】
請求項２の発明においては、装着部に凹溝を形成し、この凹溝内にスイッチの操作子を設けてあるから、指で操作子を操作することはできず、一層、感電を回避でき、安全になるという利点がある。
【００２０】
請求項３の発明においては、装着部を凹形状にし、装着部の開口端に防塵用の蓋を設けてあるから、充電端子やスイッチ用の端子へのほこりの侵入を防ぐことができ、信頼性を高めることができるという利点がある。
【図面の簡単な説明】
【図１】本発明の実施の一形態を示す分解斜視図である。
【図２】電池パックの未装着状態の図１のＡーＡ線断面図である。
【図３】電池パックを装着した状態の断面図である。
【図４】（ａ）は電池パックの未装着状態の図１のＢーＢ線断面図、（ｂ）は電池パックの装着状態の図１のＢーＢ線断面図である。
【図５】回路図である。
【図６】スイッチ基板と主プリント配線板等を示す斜視図である。
【図７】参考例の断面図である。
【図８】従来例の斜視図である。
【符号の説明】
６    装着部
７    凹溝
１０  蓋
１１  操作子
１９  スイッチ端子
２０  スイッチ基板
２５  充電装置本体
２６  結合手段
２７  空所
Ｓ    スイッチ
【図１】
0003704832.tif 000002
【図２】
0003704832.tif 000003
【図３】
0003704832.tif 000004
【図４】
0003704832.tif 000005
【図５】
0003704832.tif 000006
【図６】
0003704832.tif 000007
【図７】
0003704832.tif 000008
【図８】
0003704832.tif 000009